(57)【要約】【課題】患者を仰臥姿勢で搬送するとともに、仰臥姿勢及び座位姿勢で検診や治療又は分娩できるストレッチャーを提供すること。【解決手段】ストレッチャー１は、キャスタ３を装着したベースフレーム２と、ベッド１０を支持するアッパフレームアッシ７と、アッパフレームアッシ７を昇降させる昇降フレーム機構５とを備えている。ベッド１０を、上半身用ベッド１０ａ、臀部用ベッド１０ｂ、脚部用ベッド１０ｃの３分割に形成する。臀部用ベッド１０ｂをアッパフレームアッシ７に固着するとともに、上半身用ベッド１０ａを臀部用ベッド１０ｂに対して傾斜移動可能に構成し、脚部用ベッド１０ｃを臀部用ベッド１０ｂに対して昇降可能に構成するともに臀部用ベッド１０ｂの下方に水平移動可能に構成する。【選択図】図１
0003162335.tif 000002
【実用新案登録請求の範囲】
【請求項１】
キャスタが装着されたベースフレームと、
前記ベースフレームの上方に配設されて前記ベースフレームに連結フレーム機構を介して連結されたアッパフレームアッシと、
前記アッパフレームアッシの上方で、上半身用ベッド、臀部用ベッド、脚部用ベッドを備えて３分割に構成されたベッドと、を備えたストレッチャーであって、
前記臀部用ベッドは、前記アッパフレームアッシに固定支持され、
前記上半身用ベッドは、前記臀部用ベッドに対して傾斜移動可能に配設され、
前記脚部用ベッドは、前記臀部用ベッドに対して昇降可能に配設されるとともに、前記臀部用ベッドの下方に向かって水平移動可能に配設されることを特徴とするストレッチャー。
【請求項２】
前記脚部用ベッドは、前記脚部用ベッド下方で前記ストレッチャーの長さ方向に配設された少なくとも２組のリンク機構と、前記アッパフレームアッシ内に走行案内されるスライドレールと、を有するスライドアッシにより昇降および水平移動可能に構成されていることを特徴とする請求項１記載のストレッチャー。
【請求項３】
前記連結フレーム機構は、前記アップフレームアッシの長手方向に少なくとも２組のリンク機構を有して昇降可能に構成されていることを特徴とする請求項１記載のストレッチャー。
【請求項４】
前記アッパフレームアッシには、前記連結フレーム機構の最下位において、前記アッパフレームアッシから下方に向かって延設されたストッパフレームの一端が前記ベースフレームに当接可能に配設されていることを特徴とする請求項３記載のストレッチャー。
【請求項５】
前記アッパフレームアッシにおける、前記脚部用ベッドに対向する前記臀部用ベッド端部付近に、産婦の脚部を乗せる脚載せ台用の脚載せ台支持パイプが配設されていることを特徴とする請求項１記載のストレッチャー。
【請求項６】
前記上半身用ベッドと前記臀部用ベッドに跨る部位の側部には、前記ベッドに対して昇降可能なサイドフレームが装着されていることを特徴とする請求項１記載のストレッチャー。
【請求項７】
前記ベースフレームには、車両内に支持されるための取り付けステーが装着されていることを特徴とする請求項１記載のストレッチャー。
【請求項８】
前記アッパフレームアッシには、前記上半身用ベッドの一方の側部及び臀部用ベッドにおける脚部用ベッド側において、それぞれ収納用トレイが配設可能に構成されていることを特徴とする請求項１記載のストレッチャー。
【考案の詳細な説明】
【技術分野】
【０００１】
本考案は、検診台や治療台又は分娩台として使用することができるストレッチャーに関する。
【背景技術】
【０００２】
ストレッチャーは、患者を寝かせた状態で搬送できるものであり、搬送された患者はストレッチャーとは別の検診台や治療台あるいは分娩台に乗せ換えられる。患者は、例えば、検診や治療を受ける人であったり、また、分娩する産婦であったりする。患者が産婦の場合、ストレッチャーで運ばれてきた産婦は、一般的には緊急のため即座に分娩台に移されて分娩することになる。分娩する場合、産婦の脚部周りには、空間スペースを必要とするため、専用の分娩台でしか行うことができなかったことから、例えば、運ばれてきたストレッチャーをそのまま分娩台として使用することはできなかった。近年、分娩する場合、強く踏ん張れるということから、仰臥姿勢より座位姿勢で行うことが多くなっている。しかし、分娩した後、産婦は自ら分娩台から降りてベッドに歩いて移動することは困難なため、分娩した後で仰臥姿勢を確保できしかもそのまま搬送できることが望まれていた。また、ストレッチャーは、状況によっては分娩以外にも検診・治療にも使用できる等、多目的に使用されることが望まれていた。
【０００３】
従来、座位姿勢で分娩できる分娩台と、患者を仰臥姿勢で支持するストレッチャーと、を組み付け可能に構成された医療台装置が特許文献１により開示されている。これによると、基台上に傾動可能に配置される背板部と、臀部を支持する臀部受部と、大腿部付近を支持する脚受部と、を備えて座位姿勢で分娩できる分娩台(医療台)と、患者を仰臥姿勢で支持する身体支持部、足部を支持する足部支持部を備えたストレッチャーと、が連結手段で連結されている。ストレッチャーを分娩台に連結する場合には、分娩台の脚受部を下方に退避させ臀部受部の前方に空間部を形成してから、ストレッチャーを挿入する。そしてストレッチャーを連結手段で連結させた後、脚受部を上方に移動させる。ストレッチャー上で仰臥している患者は、ストレッチャーから分娩台に擦り上げられるか、あるいはストレッチャーから自ら降りて分娩台に乗り換える。そして患者の大腿部付近が脚受台に固定される。ストレッチャーと分娩台とを連結するためにストレッチャーが分娩台側の脚受台に向かって移動する際、脚受部の下降により脚受部が障害とならないことから、連結はスムーズに行うことができる。また、脚受部の下降に伴って臀部受部がほぼ水平状態になると連結を解くように構成される。そのため、臀部受部を下方に傾けて患者をずり落とすことにならないから患者に手を掛けることがなく看護師の負担を軽減することができる。
【先行技術文献】
【特許文献】
【０００４】
【特許文献１】特開２００１−３４０４０４公報
【考案の概要】
【考案が解決しようとする課題】
【０００５】
しかし、上述の特許文献１のストレッチャーと分娩台とを組み付けた医療台装置は、２体を連結、分離可能に構成していることから、連結、分離する作業に手間がかかるとともに、ストレッチャーと分娩台とを配置するための広いスペースが必要となる。分娩を終了した産婦は、即座に仰臥姿勢を確保したいため、手間のかかる作業をできるだけ削除する必要があった。
【課題を解決するための手段】
【０００６】
本考案は、上述の課題を解決するものであり、緊急の患者を仰臥姿勢で搬送できるとともに即座に検診や治療できる検診台や治療台あるいは分娩できる分娩台として使用できるストレッチャーを提供することを目的とするものである。そのために本考案に係るストレッチャーは、以下のように構成するものである。すなわち、
請求項１記載の考案は、キャスタが装着されたベースフレームと、前記ベースフレームの上方に配設されて前記ベースフレームに連結フレーム機構を介して連結されたアッパフレームアッシと、前記アッパフレームアッシの上方で、上半身用ベッド、臀部用ベッド、脚部用ベッドを備えて３分割に構成されたベッドと、を備えたストレッチャーであって、前記臀部用ベッドは、前記アッパフレームアッシに固定支持され、前記上半身用ベッドは、前記臀部用ベッドに対して傾斜移動可能に配設され、前記脚部用ベッドは、前記臀部用ベッドに対して昇降可能に配設されるとともに、前記臀部用ベッドの下方に向かって水平移動可能に配設されることを特徴とするものである。
【０００７】
請求項２記載の考案は、請求項１の考案に係るものであって、前記脚部用ベッドは、前記脚部用ベッド下方で前記ストレッチャーの長さ方向に配設された少なくとも２組のリンク機構と、前記アッパフレームアッシ内に走行案内されるスライドレールと、を有するスライドアッシにより昇降および水平移動可能に構成されていることを特徴している。
【０００８】
請求項３記載の考案は、請求項１の考案に係るものであって、前記連結フレーム機構は、前記アップフレームアッシの長手方向に少なくとも２組のリンク機構を有して昇降可能に構成されていることを特徴としている。
【０００９】
請求項４記載の考案は、請求項３の考案に係るものであって、前記アッパフレームアッシには、前記連結フレーム機構の最下位において、前記アッパフレームアッシから下方に向かって延設されたストッパフレームの一端が前記ベースフレームに当接可能に配設されていることを特徴としている。
【００１０】
請求項５記載の考案は、請求項１の考案に係るものであって、前記アッパフレームアッシにおける、前記脚部用ベッドに対向する前記臀部用ベッド端部付近に、産婦の脚部を乗せる脚載せ台用の脚載せ台支持パイプが配設されていることを特徴としている。
【００１１】
請求項６記載の考案は、請求項１の考案に係るものであって、前記上半身用ベッドと前記臀部用ベッドに跨る部位の側部には、前記ベッドに対して昇降可能なサイドフレームが装着されていることを特徴としている。
【００１２】
請求項７記載の考案は、請求項１の考案に係るものであって、前記ベースフレームには、車両内に支持されるための取り付けステーが装着されていることを特徴としている。
【００１３】
請求項８記載の考案は、請求項１の考案に係るものであって、前記アッパフレームアッシには、前記上半身用ベッドの一方の側部及び臀部用ベッドにおける脚部用ベッド側において、それぞれ収納用トレイが配設可能に構成されていることを特徴としている。
【考案の効果】
【００１４】
本考案の請求項１に係るストレッチャーによれば、ベースフレームの上方には、連結フレーム機構を介してアッパフレームアッシが配設されて、アッパフレームアッシの上方には、上半身用ベッド、臀部用ベッド、脚部用ベッドに３分割されたベッドが配設されている。臀部用ベッドは、アッパフレームアッシに固定支持され、上半身用ベッドが臀部用ベッドに対して傾斜移動可能に構成され、脚部用ベッドは臀部用ベッドに対して昇降可能に移動するとともに臀部フレームの下方に収納可能に構成されている。そのため、患者は脚を下ろすことができて仰臥姿勢から座位姿勢にすることができる。座位姿勢にすることにより、治療や分娩あるいは分娩するための検査をやり易くすることになり、即座に必要な治療を受けることができる。また、患者が特に産婦の場合には、例えば、分娩時に必要な用具を空間スペースに配置することができる。さらに、治療や分娩が終了すれば、退避していた脚部用ベッドを元の位置に戻すことができることから、産婦等の患者を別のストレッチャーに移動させずにそのまま仰臥姿勢にすることができる。しかも、従来のようなストレッチャーと分娩台とを組み付けた医療台装置と異なり、２体を分離させる作業を削除できる。
【００１５】
請求項２の考案によれば、脚部用ベッドはストレッチャーの長さ方向に沿って配設された少なくとも２組のリンク機構で昇降されることから、脚部用ベッドを水平状態で下降させることができる。そして、水平状態で下降した脚部用ベッドをアッパフレームアッシ内にスライドレールで走行案内するため、臀部用ベッドの下方に水平移動して退避させることができる。したがって、臀部用ベッドの前方に空間スペースを形成することができる。
【００１６】
請求項３の考案によれば、ベッドは、連結フレーム機構が昇降可能に構成されていることによって、高さ調整をすることができる。例えば、患者の乗り降りには、ベッドを下げた状態にし、検診・治療を受けるかあるいは分娩する際には医師や看護師の身長に合わせてベッドを高くすることができる。いずれの場合でも、アッパフレームの長手方向に対して前後方向に少なくとも２組のリンク機構を構成しているから、患者を寝かせた状態で水平状態を維持して昇降させることができる。
【００１７】
請求項４の考案によれば、アッパフレームアッシには、ストッパフレームが配設され、アッパフレーム機構の最下位において、アッパフレームの下端がベースフレームに当接している。そのため、ベッドを下げた状態で分娩する場合、産婦の踏ん張りによるストレッチャーヘの負荷に対してストレッチャーの強度を保持することができる。
【００１８】
請求項５の考案によれば、アッパフレームにおける、脚部用ベッドに対向する前記臀部用ベッド端部付近に、産婦の脚部を乗せる脚載せ台支持パイプを配設している。そのため、脚部用ベッドを臀部用ベッドの下方に収納して脚載せ台支持パイプに脚載せ台を装着することによって、分娩台として使用することができるから、ストレッチャーと分娩台とを兼用して使用することができる。
【００１９】
請求項６記載の考案によれば、アッパフレームにおける上半身用ベッドの側部に昇降可能なサイドフレームを配設することによって、例えば、分娩時にサイドフレームを手で掴んで踏ん張ることができる。
【００２０】
請求項７記載の考案によれば、ベースフレームに、車両内に支持するための取り付けステーを装着していることから、取り付けステーを車両内に固定することによって、ストレッチャーを安全に搭載することができるとともに、巡回医療用の検診・治療台とすることができる。
【００２１】
請求項８記載の考案によれば、アッパフレームアッシは、上半身用ベッドの側方あるいは、臀部用ベッドの先端側に収納用トレイを配設できるように形成されているから、例えば、検診・治療・分娩用の用具や汚物のトレイ等を必要に応じて装着することができる。
【図面の簡単な説明】
【００２２】
【図１】本考案による一実施形態のストレッチャーを示す正面断面図である。
【図２】同平面図である
【図３】図１におけるX矢視図である。
【図４】図１におけるY矢視図である。
【図５】ストレッチャーに装着した脚載せ台を示す側面図である。
【図６】脚部用ベッドのスライドアッシを示す平面図である。
【図７】脚部用ベッドのスライドアッシを示す側面図である。
【図８】ベッドを上方に移動させた状態を示す正面図である。
【図９】上半身用ベッドを傾斜させた状態を示す正面図である。
【図１０】脚部用ベッドを下方に倒した状態を示す正面図である。
【図１１】脚部用ベッドを臀部用ベッド下に収納した状態を示す正面図である。
【考案を実施するための形態】
【００２３】
次に本考案のストレッチャーの一実施形態を図面に基づいて説明する。
【００２４】
図１はストレッチャーの正面図であり、図２はその平面図を示すものである。なお、以下の説明において、患者の仰臥する長手方向をストレッチャーの長さ方向といい、ストレッチャーにおける、患者の頭部から脚部方向に向かう方向を前方又は前部と呼び、逆方向を後方又は後部と呼ぶ。長さ方向に直交する短手方向をストレッチャーの幅方向という。図１〜４に示すように、ストレッチャー１は、４隅にキャスタ３が装着されて矩形枠状に形成されたベースフレーム２と、ストレッチャー１の前後方向に開閉可能な連結フレーム機構（以下、昇降フレーム機構という。）５を介してベースフレーム２に連結されるとともに一方が開口されて２段に形成された枠状のアッパフレームアッシ７と、アッパフレームアッシ７の上方位置に配置されるベッド１０と、を有して構成されている。
【００２５】
ベッド１０は、図１〜２に示すように、ストレッチャー１の前方に向かって、順に上半身用ベッド１０ａ、臀部用ベッド１０ｂ、脚部用ベッド１０ｃの３分割に形成され、上半身用ベッド１０ａは臀部用ベッド１０ｂに対して前端部（臀部用ベッド１０ｂ側端部）付近を中心にして回動可能に配置されて傾斜移動可能に構成されている。脚部用ベッド１０ｃは臀部用ベッド１０ｂに対して昇降可能に配置されるとともに、臀部用ベッド１０ｂの下方に収納可能に配置されている。
【００２６】
ベースフレーム２は、図３に示すように、ストレッチャー１の長さ方向に配置される２本の主支柱２０１と、幅方向に配置される３本の連結支柱２０２を有して枠状に形成されている。キャスタ３は、それぞれ主支柱２０１の両端部に装着されている。
【００２７】
昇降フレーム機構５は、図１及び図４に示すように、ベースフレーム２の２本の連結支柱２０２の各２点位置（全４点位置）から上方に延設する固定リンク５１と、アッパフレームアッシ７の幅方向の両枠部の各２点位置（全４点位置）から下方に延設する上支持部材５２と、固定リンク５１と上支持部材５２にそれぞれ回動可能に連結する回動リンク５３とを備えている。連結支柱２０２、固定リンク５１、上支持部材５２、回動リンク５３、後述の下段アッパフレーム７１で構成するリンク機構は、矩形枠状のベースフレーム２の幅方向に対して各２組、ベースフレーム２の長さ方向に対して各２組ずつ配置されている。
【００２８】
ベースフレーム２の幅方向に対して一対配置された各上支持部材５２は、１対の上支持部材５２を連結する支持シャフト５４で支持されている。ベースフレーム２の前方に配置された支持シャフト５４Ａの中央部には、連結リンク５５Ａが軸支され、連結リンク５５Ａは昇降フレーム機構５を昇降させる昇降駆動体５７に連結されている。昇降駆動体５７と連結リンク５５Ａとは、軸５６Ａにより回動可能に連結されている。昇降駆動体５７と並設するように連結部材５８が配置されている。連結部材５８の一端は軸５６Ａに軸支されている。
【００２９】
ベースフレーム２の後方に配置された支持シャフト５４Ｂには、連結リンク５５Ｂが軸支され、連結リンク５５Ｂは連結部材５８の他端で軸５６Ｂに軸支されている。
【００３０】
昇降駆動体５７は、図示しない外部材と内部材が螺合されていて、内部材が外部材に対して伸縮可能に構成されている。昇降駆動体５７の後端（患者の頭部側方向）には操作ハンドル５９が装着され、操作ハンドル５９を回すことにより、図示しない昇降駆動体５７の内部材が外部材に対して前方に向かって伸縮する。昇降駆動体５７の内部材が前方に向かって伸張することにより、上支持部材５２が前方に移動して、連結リンク５５（５５Ａ、５５Ｂ）を固定リンク５１と回動リンク５３の支点を中心にして前方回転させる。結果、上支持部材５２が支持シャフト５４とともに水平を保ちながら上昇しアッパフレームアッシ７を上方移動させることになる。ストレッチャーの長さ方向に沿って２組ずつ配置されている回動リンク５３が、固定リンク５１に対して回動することにより、アッパフレームアッシ７を水平状態で維持しながら昇降することになる。
【００３１】
２段に形成されたアッパフレームアッシ７は、下段アッパフレーム７１と上段アッパフレーム７２とを備えている。下段アッパフレーム７１は、枠状に形成された枠状フレーム７１１と枠状フレーム７１１の長さ方向に配置されて昇降フレーム機構５の上支持部材５２に連結された２本の保持フレーム７１２とを有している。枠状フレーム７１１は、アッパフレームアッシ７の幅方向の両枠部において水平状態にある上半身用ベッド１０ａの頭部側端部から臀部用ベッド１０ｂの先端辺りまで延設され、上段アッパフレーム７２は、枠状フレーム７１１の上方に配置されるとともに、上半身用ベッド１０ａの長さ方向略全長にわたって延設される低位部７２１と、臀部用ベッド１０ｂを支持する高位部７２２とから構成されている。
【００３２】
下段アッパフレーム７１と上段アッパフレーム７２との間には、図１に示すように、下段アッパフレーム７１と上段アッパフレーム７２の低位部７２１とを連結する４本の連結縦フレーム７３と、下段アッパフレーム７１と上段アッパフレーム７２の高位部７２２とを連結する６本の連結縦フレーム７４とが配置されている。
【００３３】
図１〜２及び図４に示すように、下段アッパフレーム７１の枠状フレーム７１１及び上段アッパフレーム７２における、上半身用ベッド１０aと臀部用ベッド１０ｂに跨る部位に配置されて下段アッパフレーム７１の枠状フレーム７１１及び上段アッパフレーム７２を連結する連結縦フレーム７３、７４の外側には、例えば、産婦が分娩時に把持できるための昇降可能なサイドフレーム２６を支持するサイドフレーム支持パイプ２５が３本配置されている。サイドフレーム支持パイプ２５のうち中央のサイドフレーム支持パイプ２５aには、所定の高さ位置にロックするロック装置２７が装着されている。実施形態におけるロック装置２７には、バネでサイドフレーム２６を付勢するロックピン２７１を備えている。
【００３４】
さらに、図１及び図５に示すように、下段アッパフレーム７１の枠状フレーム７１１及び上段アッパフレーム７２の前方端部に配置されて、下段アッパフレーム７１の枠状フレーム７１１及び上段アッパフレーム７２を連結する連結縦フレーム７４の外側には、産婦の脚を載せる脚載せ台２９を支持する脚載せ台支持パイプ２８が配置されている。
【００３５】
また、図１及び図５に示すように、枠状フレーム７１１におけるサイドフレーム支持パイプ２５、２５の下方には、下方に向かって延設されるストッパフレーム３３が配置されている。このストッパフレーム３３は昇降フレーム機構５が下降して最下位に位置する際に、ストッパフレーム３３の下端がベースフレームの主支柱２０１の上面に当接する。これにより、例えば、産婦の分娩時に産婦の踏ん張りによって、ストレッチャー１の各部位に負荷がかかっても、ストッパフレーム３３が補強材となって、ストレッチャー１の強度を保持することができる。
【００３６】
図２に示すように、上半身用ベッド１０ａは、マットレス１１ａとマットレス１１ａの背部側に配置されて上半身用ベッド１０ａの長さ方向に沿ってコの字状に形成される支持フレーム１２ａとで構成されている。上段アッパフレーム７２の低位部７２１は、水平状態の上半身用ベッド１０ａの支持フレーム１２ａに当接可能に配置されて上半身用ベッド１０ａの水平状態を支持するものである。上半身用ベッド１０ａにおける臀部用ベッド１０ｂ側の一端が上段アッパフレーム７２に回動可能に枢着されている。また、上半身用ベッド１０ａの背部側には、支持フレーム１２ａの幅方向の中央部に一端を連結するシリンダ１３が他端を上段アッパフレーム７２の幅方向の中央部に支持されて配置されている。そのため、シリンダ１３のピストンロッド１３ａが伸張すると上半身用ベッド１０ａは、上段アッパフレーム７２との枢着点を中心に上方に回転し臀部用ベッド１０ｂに対して傾斜移動することになる。なお、実施形態においては、シリンダ１３は、上段アッパフレーム７２の中央部だけでなく上段アッパフレーム７２の両端部にも装着して、合計３本のシリンダ１３で上半身用ベッド１０ａを傾斜移動させている。これにより、上半身用ベッド１０ａが捩れることなく傾斜移動できることとなる。
【００３７】
臀部用ベッド１０ｂは、図１に示すように、マットレス１１ｂが直接上段アッパフレーム７２の高位部７２２に固定されて支持されている。なお、臀部用ベッド１０ｂの下方には、脚部用ベッド１０ｃを収納するための収納スペース１４が形成されている。
【００３８】
脚部用ベッド１０ｃは、マットレス１１ｃとマットレス１１ｃの背部側においてマットレス１１ｃの下面を支持する枠状の支持板１２ｃとで構成されるとともに、脚部用ベッド１０ｃの下方には、脚部用ベッド１０ｃを昇降して収納スペース１４内に移動可能なスライドアッシ１５が配置されている。
【００３９】
スライドアッシ１５は脚部用ベッド１０ｃを支持するものであり、図１及び図６〜７に示すように、下段アッパフレーム７１の幅方向の内側に摺動可能に配置される１対のスライドレール１６と、１対のスライドレール１６を連結するとともにスライドレール１６の後端側（図１における上半身用ベッド１０ａに向かう側）付近に配置される連結パイプ１７と、スライドレール１６の脚部用ベッド１０ｃ側の幅方向の両端部付近に配置される１対のリンク支持板１８と、１対のリンク支持板１８の長さ方向の前後端で１対のリンク支持板１８を連結するスライドレール連結シャフト１９と、を備えて構成されている。さらに、リンク支持板１８と支持板１２ｃとに枢着可能に連結される長リンク２１と、長リンク２１の長さ方向の略中央部に一端が枢着されるとともに他端がリンク支持板１８に枢着される短リンク２２と、を有して脚部用ベッド１０ｃを昇降可能に構成するリンク機構を備えている。
【００４０】
長リンク２１の一端は、リンク支持板１８に形成されたガイド溝１８１（図１及び図１０参照）に軸支され、ガイド溝１８１に合わせて摺動可能に配置されている。実施形態のガイド溝１８１は正面視略「つ」字状に形成されている。
【００４１】
スライドレール１６は、下段アッパフレーム７１の枠状フレーム７１１の内側に摺動可能に配置されるとともに、枠状フレーム７１１と保持フレーム７１２との間でアッパフレームアッシ７内の長さ方向に沿って走行可能に配置されている。脚部用ベッド１０ｃが臀部用ベッド１０ｂの前方に位置した状態にあるときには、スライドレール１６の後端位置は上半身用ベッド１０aと臀部用ベッド１０ｂとの境目付近に達した位置にある。スライドレール１６の外側面は凹状形成されて、枠状フレーム７１１の内面に嵌合された状態で摺動する。このため、スライドアッシ１５は、アッパフレームアッシ７に支持されることとなる。また、スライドレール１６は、枠状フレーム７１１から突出したロック装置２３（図５、図１１参照）により、アッパフレームアッシ７内への水平移動がロックされている。
【００４２】
また、図１〜２、及び図５に示すように、下段アッパフレーム７１の後部（上半身用ベッド１０ａ付近の側部）は、検診、治療及び分娩の際に必要な用具を収納する用具収納トレイ３０が装着可能に形成され、下段アッパフレーム７１先端の連結横フレーム（移動されていない脚部用ベッド１０ｃ側と対向する部位）７５に、分娩時に発生する汚物を一時的に収納する汚物収納トレイ３１が装着可能に形成されている。さらに、図３及び図５に示すように、ベースフレーム２の連結支柱２０２には、車両に載置する際に車両に支持されるための取り付けステー３２が装着されている。
【００４３】
次に上述のように構成されたストレッチャー１の作用について説明する。
【００４４】
まず、ストレッチャー１に患者を載せる場合には、図１に示すように、昇降フレーム機構５を下降させてベッド１０を低位置にさせた状態にし、検診や治療を受けたりあるいは分娩したり場合は、医師や看護師の身長に合わせて、場合によって昇降フレーム機構５を上昇させた状態にしてベッド１０を高位置にする。この場合には、上半身用ベッド１０ａ、臀部用ベッド１０ｂ、脚部用ベッド１０ｃは、共に同一高さの水平面上にある。
【００４５】
図１の状態から図８に示すように、患者を検診や治療する際に、昇降フレーム機構５を駆動させてベッド１０を上昇させる場合、操作ハンドル５９を所定の方向に回転させる。すると昇降駆動体５７の内部材が外部材に対して前方に向かって伸張し、上支持部材５２が連結リンク５５（５５Ａ、５５Ｂ）の前方に向かって移動する。上支持部材５２の前方移動により回動リンク５３が固定リンク５１に対して、図１中、時計方向に回転する。回動リンク５３が時計方向に回転することにより、上支持部材５２が押し上げられて、アッパフレームアッシ７を上方移動させることになる。
【００４６】
なお、昇降フレーム機構５が下降駆動される際、昇降フレーム機構５の最下位の位置において、ストッパフレーム３３の先端がベースフレーム２の主支柱２０１の上面に当接して昇降フレーム機構５の下降が停止する。
【００４７】
また、患者を仰臥姿勢から座位姿勢にする場合、上半身用ベッド１０ａを臀部用ベッド１０ｂに対して上方に回転させて傾斜移動させる。この場合、図９に示すように、上半身用ベッド１０ａの背部側に配置されたシリンダ１３の空気又はガスを抜いた後、上半身用ベッド１０ａの頭部側を、手で上段アッパフレーム７２の枢着点を中心に上方に持ち上げてシリンダ１３のピストンロッド１３ａを伸張させる。これにより、上半身用ベッド１０ａは、上方に回転し臀部用ベッド１０ｂに対して傾斜移動することになり、適度な角度位置で停止させることによって、上半身用ベッド１０ａはロックされる。
【００４８】
次に、仰臥姿勢の患者の脚を下ろす場合、脚部用ベッド１０ｃを下降させて、臀部用ベッド１０ｂの下方に収納する。図１０において、脚部用ベッド１０ｃが上方位置にあるときには、長リンク２１の一端がガイド溝１８１の下部にあり、その位置で停止されている。短リンク２２を回転させて長リンク２１を前方に、一旦、引っ張ると、長リンク２１の一端は上方位置に移動される。上方位置に移動した状態で長リンク２１を後方に押し出すと、短リンク２２は、図１０中、反時計方向に回転し、長リンク２１は時計方向に回転して脚部用ベッド１０ｃを下降させる。
【００４９】
脚部用ベッド１０ｃが最下降位置に達すると、図１１に示すように、脚部用ベッド１０ｃの上面が臀部用ベッド１０ｂの下方の位置になるため、スライドレール１６を臀部用ベッド１０ｂの下方の収納スペース１４に向かって枠状フレーム７１１の内側に沿って移動させる。この際、スライドレール１６は、枠状フレーム７１１の一部を貫通して配置されるロック装置２３によって移動停止されているから、ロック装置２３を解除してスライドレール１６を、後方に押し込むことになる。
【００５０】
これにより、上半身用ベッド１０ａは、臀部用ベッド１０ｂに対して所定角度傾斜する位置まで立ち上がるとともに臀部用ベッド１０ｂの前方には空間スペースを形成することができることから、患者の脚を下ろして座位姿勢にすることができる。
【００５１】
また、検診や治療あるいは分娩する場合、図１に示すように、下段アッパフレーム７１に用具収納トレイ３０を装着して必要な用具を用具収納トレイ３０に載置する。患者が産婦であって分娩する場合には、図５に示すように、脚載せ台支持パイプ２８に足載せ台２９を装着するとともに、図１に示すように、汚物収納トレイ３１を連結横フレーム７５に装着する。また、サイドフレーム２６を、ロック装置２７を解除した後、手で上昇させて把持しやすい位置に移動させる。
【００５２】
さらに、図４に示すように、ストレッチャー１を車両に搭載して搬送する際、ベースフレーム２の連結支柱２０２に装着された取り付けステー３２を車両に固定する。これにより、ストレッチャー１は車両内で固定支持されるから、巡回医療用の検診、治療台とすることができる。
【００５３】
上述のように、ストレッチャー１は、患者を仰臥姿勢で搬送する搬送台として使用するとともに、座位姿勢可能な治療台あるいは分娩台として多目的に使用することができる。ストレッチャー１が搬送台だけでなく治療台あるいは分娩台として使用できることは、緊急の場合でも即座に治療あるいは分娩できることになり、利便性を有することになる。また、脚部用ベッド１０ｃを別体で構成することなく、臀部用ベッド１０ｂの下方に退避させることができることから、脚部用ベッド１０ｃの退避移動を短時間で容易に行うことができる。
【００５４】
なお、本考案のストレッチャーは、上述の形態に限定するものではない。例えば、昇降フレーム機構５によるベッド１０の高さ調整や脚部用ベッド１０ｃを、水平状態を維持可能に昇降できれば、例えばシリンダ手段で行ってもよい。
【符号の説明】
【００５５】
１、ストレッチャー
２、ベースフレーム
３、キャスタ
５、昇降フレーム機構
７、アッパフレームアッシ
１０、ベッド
１０ａ、上半身用ベッド
１０ｂ、臀部用ベッド
１０ｃ、脚部用ベッド
１６、スライドレール
２１、長リンク
２２、短リンク
２５、サイドフレーム支持パイプ
２６、サイドフレーム
２８、脚載せ台支持パイプ
２９、脚載せ台
３０、汚物トレイ
３３、ストッパフレーム
【図１】
0003162335.tif 000003
【図２】
0003162335.tif 000004
【図３】
0003162335.tif 000005
【図４】
0003162335.tif 000006
【図５】
0003162335.tif 000007
【図６】
0003162335.tif 000008
【図７】
0003162335.tif 000009
【図８】
0003162335.tif 000010
【図９】
0003162335.tif 000011
【図１０】
0003162335.tif 000012
【図１１】
0003162335.tif 000013